(57)【要約】【課題】パネル状表示具全体の厚みの縮小を図り、これにより、利便性の向上を図る。【解決手段】線状に延びるレール穴１０が形成されたパネル本体４と、第１の溝部２６と第２の溝部２８とを有し、レール穴１０の短手方向に関して一方の側のレール穴１０周縁のパネル本体４部分が第１の溝部２６に挟み込まれ且つ他方の側のレール穴１０周縁のパネル本体４部分が第２の溝部２８に挟み込まれることで、レール穴１０に沿ってスライド可能なようにパネル本体４に取り付けられるスライダ２０と、を備え、レール穴１０に対するスライダ２０の相対的な位置によって所定の情報を表示するように構成されたパネル状表示具２において、パネル本体４を紙で構成し、スライダ２０を、紙からなるシート３０を第１及び第２の溝部２６，２８が形成されるように折り曲げて製作する。【選択図】図１
2011128211.tif 000002
【特許請求の範囲】
【請求項１】
線状に延びるレール穴が形成されたパネル本体と、
第１の溝部と第２の溝部とを有し、前記レール穴の短手方向に関して一方の側の前記レール穴周縁のパネル本体部分が前記第１の溝部に挟み込まれ且つ他方の側の前記レール穴周縁のパネル本体部分が前記第２の溝部に挟み込まれることで、前記レール穴に沿ってスライド可能なように前記パネル本体に取り付けられるスライダと、を備え、
前記レール穴に対する前記スライダの相対的な位置によって所定の情報を表示するように構成されたパネル状表示具であって、
前記パネル本体は紙からなり、
前記スライダは、紙からなるシートが前記の第１及び第２の溝部を形成するように折り曲げられてなる部材であることを特徴とするパネル状表示具。
【請求項２】
前記シートは、前記スライダが取り付けられた前記パネル本体の表面を見たときに前記パネル本体よりも手前側に現れる表面シート部と、前記第１の溝部を形成するために前記表面シート部に連ねて設けられた第１シート片と、前記第２の溝部を形成するために前記表面シート部に連ねて設けられた第２シート片と、を備え、
前記第１シート片と前記第２シート片はそれぞれ、前記シートの裏面側から見て谷折りである折り目を介して前記表面シート部に隣接する第１シート部と、前記シートの裏面側から見て山折りである折り目を介して前記第１シート部に隣接する第２シート部と、を備え、
前記第１の溝部は、前記第１シート片の前記第１シート部と前記第２シート部とで構成され、
前記第２の溝部は、前記第２シート片の前記第１シート部と前記第２シート部とで構成されていることを特徴とする請求項１に記載のパネル状表示具。
【請求項３】
前記第１シート片と前記第２シート片はそれぞれ、前記シートの裏面側から見て谷折りである折り目を介して前記第２シート部に隣接する第３シート部を備え、
前記スライダが完成した状態において、前記第１シート片の前記第３シート部に、前記第２シート片の前記第３シート部が接着されていることを特徴とする請求項２に記載のパネル状表示具。
【請求項４】
前記スライダが完成した状態において、前記第１シート片の前記第３シート部が、前記表面シート部の裏面に接着されていることを特徴とする請求項３に記載のパネル状表示具。
【請求項５】
前記スライダを前記レール穴に沿ってスライドさせる際に摘むための摘み片が、前記表面シート部に連ねて設けられていることを特徴とする請求項２〜４のいずれかに記載のパネル状表示具。
【請求項６】
前記表面シート部には切り込みが設けられ、
前記スライダが完成した状態において、前記表面シート部の裏面に折り重ねられた前記摘み片の先端が、前記切り込みに差し込まれて前記表面シート部の表面側に突出していることを特徴とする請求項５に記載のパネル状表示具。
【請求項７】
前記パネル本体の少なくとも表面に、前記スライダの前記相対的な位置によって示される情報を特定するための表示がなされていることを特徴とする請求項１〜６のいずれかに記載のパネル状表示具。
【請求項８】
前記スライダは、前記スライダを前記レール穴に沿ってスライドさせる際に前記パネル本体の表面側から摘むための表面側摘み片と、前記スライダを前記レール穴に沿ってスライドさせる際に前記パネル本体の裏面側から摘むための裏面側摘み片と、を備えていることを特徴とする請求項１〜７のいずれかに記載のパネル状表示具。
【請求項９】
前記パネル本体は、前記レール穴が形成された表面パネル部と、前記表面パネル部の裏面に折り重ね可能なように折り目を介して前記表面パネル部に連ねて設けられた裏面パネル部と、を備えていることを特徴とする請求項１〜６のいずれかに記載のパネル状表示具。
【発明の詳細な説明】
【技術分野】
【０００１】
本発明は、レール穴が形成されたパネル本体とレール穴に沿ってスライド可能なスライダとを備えたパネル状表示具に関する。
【背景技術】
【０００２】
例えば問診の際、患者が自身の症状の重さを医師に伝えるために、複数のレール穴が形成された樹脂製のパネル本体と、レール穴に沿ってスライド可能にパネル本体に取り付けられた樹脂製のスライダと、を有するパネル状表示具が用いられることがある。
【０００３】
この種のパネル状表示具は、複数種類の痛みの程度を表示するように構成されており、痛みの種類毎に、レール穴とスライダが設けられている。各種類の痛みの程度は、レール穴に対するスライダの相対的な位置によって示される。例えば、頭痛の程度を示すためのレール穴において該レール穴の左端部にスライダが位置することは、頭痛が全くないことを示し、該レール穴の右端部にスライダが位置することは最も強い頭痛であることを示し、該レール穴の中央部にスライダが位置するときは中程度の頭痛であることを示す。
【０００４】
かかる構成のパネル状表示具を用いると、患者が口頭のみで医師に症状を伝える場合に比べて、簡易で且つ正確な問診を行うことができる。
【０００５】
また、同様の構成からなるパネル状表示具は、患者の症状の程度を表示するためだけでなく、その他の種々の情報を表示するために利用することも可能であり、その場合も、簡易で且つ正確な情報伝達を実現することができる。
【発明の概要】
【発明が解決しようとする課題】
【０００６】
しかし、上述した従来のパネル状表示具では、パネル本体とスライダがいずれも樹脂からなるため、パネル状表示具全体の厚みを小さくすることが困難であった。そのため、複数のパネル状表示具をパンフレット形式で束ねたり、雑誌の中にパネル状表示具を綴じ込んだりすることが困難であり、利便性に関して改善の余地があった。
【０００７】
そこで、本発明は、レール穴が形成されたパネル本体とレール穴に沿ってスライド可能なスライダとを備えたパネル状表示具に関して、パネル状表示具全体の厚みの縮小を図り、これにより、利便性の向上を図ることを、基本的な目的とする。
【課題を解決するための手段】
【０００８】
上記課題を解決するため、本発明に係るパネル状表示具は、
線状に延びるレール穴が形成されたパネル本体と、
第１の溝部と第２の溝部とを有し、前記レール穴の短手方向に関して一方の側の前記レール穴周縁のパネル本体部分が前記第１の溝部に挟み込まれ且つ他方の側の前記レール穴周縁のパネル本体部分が前記第２の溝部に挟み込まれることで、前記レール穴に沿ってスライド可能なように前記パネル本体に取り付けられるスライダと、を備え、
前記レール穴に対する前記スライダの相対的な位置によって所定の情報を表示するように構成されたパネル状表示具であって、
前記パネル本体は紙からなり、
前記スライダは、紙からなるシートが前記の第１及び第２の溝部を形成するように折り曲げられてなる部材であることを特徴とする。
【発明の効果】
【０００９】
本発明によれば、パネル状表示具を構成するパネル本体とスライダとが、いずれも紙からなるため、パネル状表示具全体の厚みを小さくすることができる。したがって、複数のパネル状表示具をパンフレット形式で束ねたり、雑誌の中にパネル状表示具を綴じ込んだりすることが容易になるため、利便性の向上を図ることができる。また、パネル本体とスライダがいずれも紙からなるため、廃棄の利便性の向上、および材料コストの低減に貢献することができる。
【図面の簡単な説明】
【００１０】
【図１】第１の実施形態に係るパネル状表示具を示す図である。
【図２】図１に示すパネル状表示具のパネル本体を示す図である。
【図３】図１に示すパネル状表示具のスライダを示す斜視図である。
【図４】付属パネルを示す図である。
【図５】スライダ製作用のシートを示す斜視図である。
【図６】スライダの製作手順を示す斜視図である。
【図７】スライダの製作手順を示す斜視図である。
【図８】スライダの製作手順を示す斜視図である。
【図９】スライダの製作手順を示す斜視図である。
【図１０】スライダの製作手順を示す斜視図である。
【図１１】第２の実施形態に係るパネル状表示具の表面を示す図である。
【図１２】図１１に示すパネル状表示具の裏面を示す図である。
【図１３】図１１及び図１２に示すパネル状表示具のスライダを表面側から見た斜視図である。
【図１４】図１３に示すスライダを裏面側から見た斜視図である。
【図１５】図１３及び図１４に示すスライダを製作するためのシートを示す斜視図である。
【図１６】図１３及び図１４に示すスライダの製作手順を示す斜視図である。
【発明を実施するための形態】
【００１１】
以下、添付図面を参照して本発明の好適な実施形態を説明する。なお、以下の説明では、特定の方向を意味する用語（例えば、「上」、「下」、「左」、「右」、およびそれらを含む他の用語）を使用するが、それらの使用は図面を参照した発明の理解を容易にするためであって、それらの用語の意味によって本発明は限定的に解釈されるべきものでない。また、以下の説明において、同一又は類似の構成部分には同一の符号を用いている。
【００１２】
［第１の実施形態］
図１は、本発明の第１の実施形態に係るパネル状表示具２を示す。本実施形態で説明するパネル状表示具２は、病院等において患者が自身の症状の程度を医師に伝達するために使用されるものである。ただし、本発明は、患者の症状以外の種々の情報の伝達に使用されるパネル状表示具にも等しく適用することができる。
【００１３】
パネル状表示具２は、線状に延びるレール穴１０（１０ａ〜１０ｅ）が形成されたパネル本体４と、レール穴１０に沿ってスライド可能なようにパネル本体４に取り付けられるスライダ２０とを備え、レール穴１０に対するスライダ２０の相対的な位置が所定の情報、本実施形態では、患者の症状の程度を示す。
【００１４】
図２に示すように、パネル本体４は、レール穴１０が形成された表面パネル部６と、表面パネル部６の裏面に折り重ね可能なように折り目６０を介して表面パネル部６に連ねて設けられた裏面パネル部８と、を備えている。表面パネル部６と裏面パネル部８は例えば矩形であり、互いに等しい形状と大きさを有する。ただし、本発明において、表面パネル部６と裏面パネル部８の形状は特に限定されるものでなく、表面パネル部６と裏面パネル部８とが互いに異なる形状と大きさを有することを妨げるものでない。
【００１５】
本実施形態において、レール穴１０は、表面パネル部６において上下方向に間隔を空けて複数設けられている。各レール穴１０は、横方向に沿って直線状に延びるように設けられている。全てのレール穴１０の長さは互いに等しく、レール穴１０の長さ方向に関し、全てのレール穴１０の両端部はそれぞれ同じ位置に揃えられている。
【００１６】
ただし、本発明において、レール穴１０の構成はこれに限定されるものでない。例えば、本発明は、レール穴１０毎に長さを異ならせたり、レール穴１０の形状を直線以外の種々の形状としたり、複数のレール穴１０が交差するようにレール穴１０を設けたりすることを妨げるものでない。
【００１７】
表面パネル部６の表面には、レール穴１０に対するスライダ２０の相対的な位置によって示される情報、具体的には患者の症状の程度に関する情報を特定するための複数の表示部１１，１２（１２ａ〜１２ｅ），１４（１４ａ〜１４ｅ），１６，１８が設けられている。
【００１８】
これらの表示部１１，１２，１４，１６，１８について具体的に説明する。
【００１９】
先ず、表面パネル部６の表面の例えば上端部には、表示具２の使用を促すための第１の表示部１１が設けられている。第１の表示部１１には、患者による症状の程度の伝達を促す文字、具体的には、例えば「痛みの程度を教えてください」等の文字が記される。
【００２０】
また、各レール穴１０に対応して、症状の種類を示す第２の表示部１２（１２ａ〜１２ｅ）が設けられている。各第２の表示部１２は、レール穴１０の例えば左側近傍部に設けられている。第２の表示部１２には、例えば「頭痛」又は「腹痛」などといった症状の種類が例えば文字で表示されている。
【００２１】
さらに、各レール穴１０の周縁部には、レール穴１０に対するスライダ２０の相対的な位置を視認しやすくするための第３の表示部１４（１４ａ〜１４ｅ）が設けられている。第３の表示部１４には、右に向かうに連れて上下方向の幅が徐々に大きくなる図形が記されている。具体的に、第３の表示部１４に記された図形は、例えば、レール穴１０の右端近傍部においてレール穴１０よりも上側の部分と下側の部分とに跨って上下方向に延びる底辺と、該底辺の両端からそれぞれレール穴１０の左端近傍部へ延びる残りの２辺とを備えた概略三角形である。第３の表示部１４に記された図形は、その図形の上下方向の幅が大きいほど、症状が重いことを意味する。また、第３の表示部１４に記される図形は、横方向の位置によって色または／および色の濃さを異ならせるようにしてもよく、この場合、症状の程度を一層明確に表示することができる。
【００２２】
ただし、本発明において、第３の表示部１４の構成はこれに限定されるものでなく、例えば、上述の図形以外の種々の形状の図形、又は、目盛などを第３の表示部１４に記してもよい。
【００２３】
表面パネル部６の表面の左端部には第４の表示部１６が設けられ、表面パネル部６の表面の右端部には第５の表示部１８が設けられている。第４の表示部１６には、スライダ２０がレール穴１０の左端部に位置するときに症状の程度が最小であることを明確にするための表示がなされている。具体的に、第４の表示部１６には、「痛みはない」という文字が記されるとともに、患者の穏やかな表情を表す絵が描かれている。第５の表示部１８には、スライダ２０がレール穴１０の右端部に位置するときに症状の程度が最大であることを明確にするための表示がなされている。具体的に、第５の表示部１８には、「もっとも強い痛み」という文字が記されるとともに、患者の苦痛の表情を表す絵が描かれている。これらの第４及び第５の表示部１６，１８により、レール穴１０におけるスライダ２０の横方向の位置がレール穴１０の左端部に近いときほど症状が軽く、レール穴１０の右端部に近いときほど症状が重いことを一層明確に示すことができる。
【００２４】
本実施形態において、第１〜第５の表示部１１，１２，１４，１６，１８は、表面パネル部６の表面への印刷により形成されているが、本発明は、第１〜第５の表示部１１，１２，１４，１６，１８の一部または全部を、例えば表面パネル部６の表面へのシールの貼り付け等、印刷以外の方法により形成することを妨げるものでない。
【００２５】
裏面パネル部８は、スライダ２０が取り付けられた状態の表面パネル部６の裏面に折り重ねられることで、スライダ２０の裏面を覆い隠す機能を有する。つまり、パネル本体４に裏面パネル部８を設けることで、スライダ２０がパネル本体４から容易に脱落したり、スライダ２０の裏面側部分が破損したりすることを防止することができる。なお、裏面パネル部８は、後述のように表面パネル部６の裏面に接着される。また、本実施形態において、裏面パネル部８には、表面パネル部６のような表示部が何ら設けられていないが、何らかの表示部を設けるようにしてもよい。
【００２６】
以上のように構成されたパネル本体４は紙からなる。そのため、従来のようにパネル本体が樹脂で構成される場合に比べて、パネル本体４の厚みを小さくすることができ、パネル状表示具２全体の厚みの低減に貢献することができる。
【００２７】
図３に示すように、スライダ２０は、スライダ２０がパネル本体４に取り付けられた状態において表面パネル部６の表面側に配置される表面部２１と、スライダ２０がパネル本体４に取り付けられた状態において表面パネル部６の裏面側に配置される裏面部２３と、表面部２１と裏面部２３との間に形成された第１及び第２の溝部２６，２８とを有する。
【００２８】
表面部２１と裏面部２３は、互いに平行な面方向に沿って配置されている。表面部２１と裏面部２３は、レール穴１０の短手方向に関してレール穴１０よりも大きな幅を有し、これにより、レール穴１０からのスライダ２０の脱落が防止される。表面部２１と裏面部２３の形状は、レール穴１０の長さ方向に長い長方形とされている。ただし、本発明において、表面部２１と裏面部２３の形状は特に限定されるものでない。
【００２９】
スライダ２０の表面部２１には、スライダ２０の横方向の基準の位置を示す基準表示部２２が設けられている。基準表示部２２には、例えば、上下方向（図１における上下方向）に細長い菱形の図形が記されており、これにより、該菱形の上下の先端部の位置がスライダ２０の横方向の基準の位置であることが示されている。ただし、本発明において、基準表示部２２に付す表示は、スライダ２０の横方向の基準の位置を示すものであれば、菱形の図形以外の表示であってもよい。基準表示部２２は、例えば印刷により表面シート部３２の表面に形成されるが、本発明において、基準表示部２２は、例えばシールの貼り付け等、印刷以外の方法により形成されるようにしてもよい。
【００３０】
また、表面部２１には、スライダ２０をレール穴１０に沿ってスライドさせる際に摘むための摘み片２４が突設されている。これにより、表面部２１を摘んでスライダ２０をスライドさせることが困難な場合であっても、摘み片２４を摘むことでスライダ２０を容易にスライドさせることができる。
【００３１】
第１の溝部２６は、表面部２１の短手方向一端部と裏面部２３の短手方向一端部とに跨る断面倒Ｖ字状に形成され、第２の溝部２８は、表面部２１の短手方向他端部と裏面部２３の短手方向他端部とに跨る断面倒Ｖ字状に形成されている。これら第１の溝部２６と第２の溝部２８は、パネル本体４にスライダ２０を取り付けるために設けられた溝である。つまり、レール穴１０の上側周縁において表面パネル部６が第１の溝部２６に挟み込まれ且つレール穴１０の下側周縁において表面パネル部６が第２の溝部２８に挟み込まれることで、スライダ２０がレール穴１０に沿ってスライド可能なようにパネル本体４の表面パネル部６に取り付けられる。
【００３２】
表面パネル部６へのスライダ２０の取付けは、パネル本体４を開いた状態で行われ、スライダ２０が表面パネル部６に取り付けられた後、表面パネル部６の裏面に裏面パネル部８が重ねられて接着される。これにより、表面パネル部６と裏面パネル部８との間にスライダ２０の裏面部２３が挟み込まれるため、裏面部２３の保護が図られるとともに、パネル本体４からのスライダ２０の脱落が一層確実に防止される。なお、レール穴１０に沿ったスライダ２０の移動を許容するために、表面パネル部６と裏面パネル部８との接着は、レール穴１０の周縁部を残して行われる。
【００３３】
パネル状表示具２には、図４に示す付属パネル６０が含まれるようにしてもよい。付属パネル６０は、パネル本体４とは別体で且つ紙からなるパネルであり、パネル本体４の表面パネル部６の表面に重ねて使用される。付属パネル６０の外縁形状は表面パネル部６の外縁形状と同一であることが好ましく、これにより、表面パネル部６の表面に付属パネル６０を重ねるとき、表面パネル部６に対して付属パネル６０を容易に位置決めすることができる。付属パネル６０には、表面パネル部６のレール穴１０に対応した開口部７０（７０ａ〜７０ｅ）がレール穴１０毎に形成されている。各開口部７０は、付属パネル６０が表面パネル部６の表面に重ねられた状態においてレール穴１０を囲むように且つスライダ２０と干渉しないように形成されている。開口部７０の例えば下縁部には、レール穴１０に対するスライダ２０の相対的な位置を具体的に示すための位置表示部６４（６４ａ〜６４ｅ）が設けられている。付属パネル６０の位置表示部６４には、表面パネル部６の第３の表示部１４よりも明確にスライダ２０の位置を示すための表示がなされている。本実施形態において、各位置表示部６４には、例えば１００個の目盛線を備えた目盛が記されている。これにより、表面パネル部６の表面に付属パネル６０を重ねてパネル状表示具２を使用することで、スライダ２０の位置を一層迅速且つ正確に視認することができる。
【００３４】
次に、スライダ２０の製作に関する構成について説明する。
【００３５】
図３に示すスライダ２０は、図５に示す紙からなるシート３０が表面部２１、裏面部２３、第１の溝部２６及び第２の溝部２８を形成するように折り曲げられることで製作される。また、このように製作されたスライダ２０がパネル本体４に取り付けられた状態において、スライダ２０の表面部２１は表面パネル部６の表面に重ねられるようにして配置され、スライダ２０の裏面部２３は表面パネル部６と裏面パネル部８との間に挟み込まれる。そのため、スライダ２０の厚みを、従来のように樹脂で構成されたスライダに比べて著しく小さくすることができる。また、上述のようにパネル本体４も紙で構成されるため、パネル状表示具２全体の厚みを従来よりも遙かに小さくすることができる。よって、複数のパネル状表示具２をパンフレット形式で束ねたり、雑誌の中にパネル状表示具２を綴じ込んだりすることが容易になるため、利便性の向上を図ることができる。さらに、パネル本体４とスライダ２０がいずれも紙で構成されることにより、材料コストの低減と、廃棄の利便性向上とを図ることもできる。
【００３６】
図５を参照しながら、スライダ２０を製作するためのシート３０の構成について説明する。なお、図５は、シート３０を裏面側から見た斜視図である。また、以下の説明において、「山折り」及び「谷折り」という折り曲げ方向を示す用語は、シート３０の裏面側から見た方向を指すものとする。
【００３７】
図５に示すように、シート３０は、スライダ２０が取り付けられたパネル本体４の表面を見たときにパネル本体４よりも手前側に現れる表面シート部３２と、第１の溝部２６を形成するために表面シート部３２に連ねて設けられた第１シート片３４と、第２の溝部２８を形成するために表面シート部３２に連ねて設けられた第２シート片３６と、を備えている。
【００３８】
表面シート部３２は、スライダ２０が完成した状態においてスライダ２０の表面部２１を構成する。表面シート部３２の形状は、一対の長辺と一対の短辺とを備えた長方形である。表面シート部３２の一方の短辺側には、谷折りである折り目５８を介して摘み片２４が連ねて設けられている。表面シート部３２の中央部には、摘み片２４の先端を差し込むための切り込み４４が設けられている。切り込み４４は、折り目５８に平行な方向に沿って直線状に形成されている。
【００３９】
第１シート片３４は、表面シート部３２の一方の長辺側に連ねて設けられ、第２シート片３６は、表面シート部３２の他方の長辺側に連ねて設けられている。これにより、表面シート部３２と第１シート片３４と第２シート片３６とは、全体として、表面シート部３２の短辺に平行な方向に延びる帯状に形成されている。
【００４０】
第１シート片３４は、谷折りである折り目５１を介して表面シート部３２に隣接する第１シート部３８ａと、山折りである折り目５３を介して第１シート部３８ａに隣接する第２シート部４０ａと、谷折りである折り目５５を介して第２シート部４０ａに隣接する第３シート部４２ａを備えている。
【００４１】
同様に、第２シート片３６は、谷折りである折り目５２を介して表面シート部３２に隣接する第１シート部３８ｂと、山折りである折り目５４を介して第１シート部３８ｂに隣接する第２シート部４０ｂと、谷折りである折り目５６を介して第２シート部４０ｂに隣接する第３シート部４２ｂを備えている。
【００４２】
第１シート片３４の第１シート部３８ａと第２シート部４０ａとは第１の溝部２６を構成し、第２シート片３６の第１シート部３８ｂと第２シート部４０ｂとは第２の溝部２８を構成する。第１シート片３４及び第２シート片３６のいずれにおいても、第１シート部３８ａ，３８ｂと第２シート部４０ａ，４０ｂの形状は、表面シート部３２の長辺と同じ長さの一対の長辺と、表面シート部３２の短辺よりも短い一対の短辺とを備えた長方形である。
【００４３】
第１シート片３４及び第２シート片３６のいずれにおいても、第３シート部４２ａ，４２ｂの形状は、表面シート部３２と同じ形状である。各第３シート部４２ａ，４２ｂの裏面にはシール部４６，４８が設けられている。シール部４６，４８は、第３シート部４２，４２ｂにおいて折り目５５，５６とは反対側の縁部に沿って設けられている。
【００４４】
続いて、図６〜図１０を参照しながら、シート３０を用いてスライダ２０を製作する手順について説明する。
【００４５】
先ず、図６に示すように、摘み片２４を表面シート部３２の裏面に折り重ね、摘み片２４の先端を切り込み４４に差し込む。このような簡単な構成により、摘み片２４の先端部が表面シート部３２の表面側に突出し、スライダ２０の完成後において使用者が摘み片２４の先端部を容易に摘むことができる状態となる。
【００４６】
次に、図７に示すように、第２シート片３６を折り畳む。具体的に、第２シート部４０ｂを第１シート部３８ｂの表面に折り重ね、第３シート部４２ｂを第２シート部４０ｂの裏面に折り重ねる。
【００４７】
続いて、図８に示すように、折り畳まれた状態の第２シート片３６を表面シート部３２の裏面に折り重ね、第２シート片３６の第３シート部４２ｂを、シール部４８を介して表面シート部３２の裏面に貼り合わせる。これにより、第２シート片３６の第２シート部４０ｂと第３シート部４２ｂとのコーナー部が表面シート部３２から離間しないように維持することができる。よって、第２の溝部２８の幅を小さく形成することができ、これにより、スライダ２０の厚みの縮小に貢献することができる。
【００４８】
次に、図９に示すように、第１シート片３４を折り畳む。具体的に、第２シート部４０ａを第１シート部３８ａの表面に折り重ね、第３シート部４２ａを第２シート部４０ａの裏面に折り重ねる。
【００４９】
続いて、図１０に示すように、折り畳まれた状態の第１シート片３４を表面シート部３２の裏面に折り重ね、第１シート片３４の第３シート部４２ａを、シール部４６を介して第２シート片３６の第３シート部４２ｂの表面に貼り合わせる。これにより、スライダ２０が完成する。
【００５０】
［第２の実施形態］
図１１は、本発明の第２の実施形態に係るパネル状表示具１０２を示す。第１の実施形態と同様、パネル状表示具１０２は、パネル本体１０４とスライダ１２０とを備えている。
【００５１】
第１の実施形態と同様、パネル本体１０４は紙で構成されている。しかも、本実施形態に係るパネル本体１０４は、第１の実施形態のパネル本体４のような折り返し構造を有さず、第１の実施形態の表面パネル部６に相当する部分のみで構成されている。したがって、パネル本体１０４の厚みを一層小さくすることができる。
【００５２】
パネル本体１０４には、第１の実施形態と同様のレール穴１０（１０ａ〜１０ｅ）が形成されており、パネル本体１０４の表面には、第１の実施形態と同様の複数の表示部１１，１２（１２ａ〜１２ｅ），１４（１４ａ〜１４ｅ），１６，１８が設けられている。
【００５３】
図１２は、パネル本体１０４の裏面を示す。図１２に示すように、本実施形態では、パネル本体１０４の裏面にも、表面の表示部１１，１２，１４，１６，１８に合わせて、複数の表示部１１１，１１２（１１２ａ〜１１２ｅ），１１４（１１４ａ〜１１４ｅ），１１６，１１８が設けられている。これにより、パネル本体１０４の裏面においても、パネル本体１０４の表面に示される情報と同様の情報を示すことができるため、使用者は、パネル本体１０４の裏面を見ながらパネル本体１０４の表示について説明することができる。つまり、パネル本体１０４の裏面を見ている使用者と、パネル本体１０４の表面を見ながら説明を受ける者とが、一つの情報を共有することができる。
【００５４】
具体的に、パネル本体１０４の裏面には、第６〜第１０の表示部１１１，１１２，１１４，１１６，１１８が設けられている。
【００５５】
第６の表示部１１１は、パネル本体１０４表面の第１の表示部１１と同様の構成を有し、第１の表示部１１と同様の位置に配置されている。
【００５６】
第７の表示部１１２（１１２ａ〜１１２ｅ）は、パネル本体１０４表面の第２の表示部１２（１２ａ〜１２ｅ）と同様の構成を有する。各第７の表示部１１２は、レール穴１０の例えば右側近傍部に設けられている。
【００５７】
第８の表示部１１４（１１４ａ〜１１４ｅ）は、パネル本体１０４表面の第３の表示部１４（１４ａ〜１４ｅ）と同様の構成を有するが、第８の表示部１１４に記される図形の向きは、左右方向に関して、第３の表示部１４に記された図形の向きとは逆になっている。つまり、第８の表示部１１４に記された図形は、左に向かうに連れて上下方向の幅が徐々に大きくなるように構成されている。これにより、パネル本体１０４の表面側から見てスライダ１２０の位置がレール穴１０の右端に近いほど症状が重いことを示すパネル本体１０４の表面の表示に対応して、パネル本体１０４の裏面側から見てスライダ１２０の位置がレール穴１０の左端に近いほど症状が重いことを示している。
【００５８】
なお、第８の表示部１１４の構成は、第３の表示部１４の構成に合わせて変更したり、又は、第３の表示部１４の構成に関係なく変更したりすることが可能である。例えば、第８の表示部１１４に記される図形は、レール穴１０の長さ方向の位置によって色または／および色の濃さを異ならせるようにしてもよく、これにより、症状の程度を一層明確に表示することができる。また、上述の図形以外の種々の形状の図形、又は、目盛などを第８の表示部１１４に記してもよい。
【００５９】
第９の表示部１１６は、パネル本体１０４表面の第４の表示部１６と同様の構成を有し、パネル本体１０４裏面の右端部に配置されている。一方、第１０の表示部１１８は、パネル本体１０４表面の第５の表示部１８と同様の構成を有し、パネル本体１０４裏面の左端部に配置されている。
【００６０】
第６〜第１０の表示部１１１，１１２，１１４，１１６，１１８は、第１〜第５の表示部１１，１２，１４，１６，１８と同様、パネル本体１０４への印刷により形成されているが、本発明は、第６〜第１０の表示部１１１，１１２，１１４，１１６，１１８の一部または全部を、例えばパネル本体１０４の裏面へのシールの貼り付け等、印刷以外の方法により形成することを妨げるものでない。
【００６１】
図１３は、本実施形態に係るスライダ１２０を表面側から見た斜視図であり、図１４は、スライダ１２０を裏面側から見た斜視図である。
【００６２】
図１３に示すように、スライダ１２０は、第１の実施形態と同様、表面部２１と裏面部２３と第１及び第２の溝部２６，２８とを有する。また、第１の実施形態と同様、スライダ２０の表面部２１には、基準表示部２２と、パネル本体１０４の表面側から摘むための摘み片２４とが設けられている。
【００６３】
図１４に示すように、本実施形態に係るスライダ１２０の裏面部２３には、表面部２１の基準表示部２２と同様の基準表示部１２２が設けられており、これにより、スライダ１２０の裏面側についてもスライダ１２０の横方向の基準の位置が明確に示されている。
【００６４】
また、本実施形態に係るスライダ１２０の裏面部２３には、裏面側の摘み片１２４が突設されている。このように、表面側の摘み片２４に加えて裏面側の摘み片１２４を設けることにより、スライダ１２０をレール穴１０に沿ってスライドさせる際、パネル本体１０４の裏面側から裏面側摘み片１２４を摘んでスライダ１２０を操作することができ、利便性の向上が図られている。
【００６５】
本実施形態に係るスライダ１２０は、図１５に示す紙からなるシート１３０が表面部２１、裏面部２３、第１の溝部２６及び第２の溝部２８を形成するように折り曲げられることで製作される。
【００６６】
図１５に示すように、シート１３０は、裏面側摘み片１２４と裏面側摘み片１２４を差し込むための切り込み１４４とを有する点を除いて、第１の実施形態に係るシート３０と同様の構成を有する。
【００６７】
裏面側摘み片１２４は、第１シート片３４の第３シート部４２ａの一方の短辺側に、谷折りである折り目１５８を介して連ねて設けられている。一方、切り込み１４４は、第３シート部４２ａの中央部において、折り目１５８に平行な方向に沿って直線状に形成されている。
【００６８】
図１６に示すように、スライダ１２０を製作する際は、先ず、表面側摘み片２４を表面シート部３２の裏面に折り重ねて、表面側摘み片２４の先端部を切り込み４４に差し込むとともに、裏面側摘み片１２４を第１シート片３４の第３シート部１４４の裏面に折り重ねて、裏面側摘み片１２４の先端部を切り込み１４４に差し込む。その後は、第１の実施形態と同様の手順で、シート１３０の折り曲げと接着を行うことにより、スライダ１２０が完成する。
【００６９】
このように、本実施形態においても、スライダ１２０は紙からなるシート１３０の折り曲げにより製作されるため、スライダ１２０の厚みを極めて小さくすることができ、第１の実施形態と同様の効果を得ることができる。
【００７０】
以上、上述の実施形態を挙げて本発明を説明したが、本発明は上述の実施形態に限定されるものではない。
【符号の説明】
【００７１】
２，１０２：パネル状表示具、４，１０４：パネル本体、６：表面パネル部、８：裏面パネル部、１０（１０ａ〜１０ｅ）：レール穴、２０，１２０：スライダ、２４，１２４：摘み片、２６：第１の溝、２８：第２の溝、３０，１３０：シート、３２：表面シート部、３４：第１シート片、３６：第２シート片、３８（３８ａ，３８ｂ）：第１シート部、４０（４０ａ，４０ｂ）：第２シート部、４２（４２ａ，４２ｂ）：第３シート部、４４，１４４：切り込み、４６，４８：シール部。
【図１】
2011128211.tif 000003
【図２】
2011128211.tif 000004
【図３】
2011128211.tif 000005
【図４】
2011128211.tif 000006
【図５】
2011128211.tif 000007
【図６】
2011128211.tif 000008
【図７】
2011128211.tif 000009
【図８】
2011128211.tif 000010
【図９】
2011128211.tif 000011
【図１０】
2011128211.tif 000012
【図１１】
2011128211.tif 000013
【図１２】
2011128211.tif 000014
【図１３】
2011128211.tif 000015
【図１４】
2011128211.tif 000016
【図１５】
2011128211.tif 000017
【図１６】
2011128211.tif 000018
【手続補正書】
【提出日】平成22年10月26日(2010.10.26)
【手続補正１】
【補正対象書類名】明細書
【補正対象項目名】全文
【補正方法】変更
【補正の内容】
【発明の詳細な説明】
【技術分野】
【０００１】
本発明は、レール穴が形成されたパネル本体とレール穴に沿ってスライド可能なスライダとを備えたパネル状表示具に関する。
【背景技術】
【０００２】
例えば問診の際、患者が自身の症状の重さを医師に伝えるために、複数のレール穴が形成された樹脂製のパネル本体と、レール穴に沿ってスライド可能にパネル本体に取り付けられた樹脂製のスライダと、を有するパネル状表示具が用いられることがある。
【０００３】
この種のパネル状表示具は、複数種類の痛みの程度を表示するように構成されており、痛みの種類毎に、レール穴とスライダが設けられている。各種類の痛みの程度は、レール穴に対するスライダの相対的な位置によって示される。例えば、頭痛の程度を示すためのレール穴において該レール穴の左端部にスライダが位置することは、頭痛が全くないことを示し、該レール穴の右端部にスライダが位置することは最も強い頭痛であることを示し、該レール穴の中央部にスライダが位置するときは中程度の頭痛であることを示す。
【０００４】
かかる構成のパネル状表示具を用いると、患者が口頭のみで医師に症状を伝える場合に比べて、簡易で且つ正確な問診を行うことができる。
【０００５】
また、同様の構成からなるパネル状表示具は、患者の症状の程度を表示するためだけでなく、その他の種々の情報を表示するために利用することも可能であり、その場合も、簡易で且つ正確な情報伝達を実現することができる。
【先行技術文献】
【特許文献】
【０００６】
【特許文献１】特開平７−０７７９３７号公報
【特許文献２】特開平８−１５２８４７号公報
【特許文献３】特開２００６−２２１１２１号公報
【特許文献４】実全昭６１−０３３０７７号公報
【特許文献５】実全昭６４−００９２７９号公報
【特許文献６】実全平１−０６２５７８号公報
【特許文献７】実全平３−０３５５７４号公報
【特許文献８】実用新案登録第３０６４８７４号公報
【特許文献９】実全昭６３−０３０１６９号公報
【発明の概要】
【発明が解決しようとする課題】
【０００７】
しかし、上述した従来のパネル状表示具では、パネル本体とスライダがいずれも樹脂からなるため、パネル状表示具全体の厚みを小さくすることが困難であった。そのため、複数のパネル状表示具をパンフレット形式で束ねたり、雑誌の中にパネル状表示具を綴じ込んだりすることが困難であり、利便性に関して改善の余地があった。
【０００８】
そこで、本発明は、レール穴が形成されたパネル本体とレール穴に沿ってスライド可能なスライダとを備えたパネル状表示具に関して、パネル状表示具全体の厚みの縮小を図り、これにより、利便性の向上を図ることを、基本的な目的とする。
【課題を解決するための手段】
【０００９】
上記課題を解決するため、本発明に係るパネル状表示具は、
線状に延びるレール穴が形成されたパネル本体と、
第１の溝部と第２の溝部とを有し、前記レール穴の短手方向に関して一方の側の前記レール穴周縁のパネル本体部分が前記第１の溝部に挟み込まれ且つ他方の側の前記レール穴周縁のパネル本体部分が前記第２の溝部に挟み込まれることで、前記レール穴に沿ってスライド可能なように前記パネル本体に取り付けられるスライダと、を備え、
前記レール穴に対する前記スライダの相対的な位置によって所定の情報を表示するように構成されたパネル状表示具であって、
前記パネル本体は紙からなり、
前記スライダは、紙からなるシートが前記の第１及び第２の溝部を形成するように折り曲げられてなる部材であることを特徴とする。
【発明の効果】
【００１０】
本発明によれば、パネル状表示具を構成するパネル本体とスライダとが、いずれも紙からなるため、パネル状表示具全体の厚みを小さくすることができる。したがって、複数のパネル状表示具をパンフレット形式で束ねたり、雑誌の中にパネル状表示具を綴じ込んだりすることが容易になるため、利便性の向上を図ることができる。また、パネル本体とスライダがいずれも紙からなるため、廃棄の利便性の向上、および材料コストの低減に貢献することができる。
【図面の簡単な説明】
【００１１】
【図１】第１の実施形態に係るパネル状表示具を示す図である。
【図２】図１に示すパネル状表示具のパネル本体を示す図である。
【図３】図１に示すパネル状表示具のスライダを示す斜視図である。
【図４】付属パネルを示す図である。
【図５】スライダ製作用のシートを示す斜視図である。
【図６】スライダの製作手順を示す斜視図である。
【図７】スライダの製作手順を示す斜視図である。
【図８】スライダの製作手順を示す斜視図である。
【図９】スライダの製作手順を示す斜視図である。
【図１０】スライダの製作手順を示す斜視図である。
【図１１】第２の実施形態に係るパネル状表示具の表面を示す図である。
【図１２】図１１に示すパネル状表示具の裏面を示す図である。
【図１３】図１１及び図１２に示すパネル状表示具のスライダを表面側から見た斜視図である。
【図１４】図１３に示すスライダを裏面側から見た斜視図である。
【図１５】図１３及び図１４に示すスライダを製作するためのシートを示す斜視図である。
【図１６】図１３及び図１４に示すスライダの製作手順を示す斜視図である。
【発明を実施するための形態】
【００１２】
以下、添付図面を参照して本発明の好適な実施形態を説明する。なお、以下の説明では、特定の方向を意味する用語（例えば、「上」、「下」、「左」、「右」、およびそれらを含む他の用語）を使用するが、それらの使用は図面を参照した発明の理解を容易にするためであって、それらの用語の意味によって本発明は限定的に解釈されるべきものでない。また、以下の説明において、同一又は類似の構成部分には同一の符号を用いている。
【００１３】
［第１の実施形態］
図１は、本発明の第１の実施形態に係るパネル状表示具２を示す。本実施形態で説明するパネル状表示具２は、病院等において患者が自身の症状の程度を医師に伝達するために使用されるものである。ただし、本発明は、患者の症状以外の種々の情報の伝達に使用されるパネル状表示具にも等しく適用することができる。
【００１４】
パネル状表示具２は、線状に延びるレール穴１０（１０ａ〜１０ｅ）が形成されたパネル本体４と、レール穴１０に沿ってスライド可能なようにパネル本体４に取り付けられるスライダ２０とを備え、レール穴１０に対するスライダ２０の相対的な位置が所定の情報、本実施形態では、患者の症状の程度を示す。
【００１５】
図２に示すように、パネル本体４は、レール穴１０が形成された表面パネル部６と、表面パネル部６の裏面に折り重ね可能なように折り目６０を介して表面パネル部６に連ねて設けられた裏面パネル部８と、を備えている。表面パネル部６と裏面パネル部８は例えば矩形であり、互いに等しい形状と大きさを有する。ただし、本発明において、表面パネル部６と裏面パネル部８の形状は特に限定されるものでなく、表面パネル部６と裏面パネル部８とが互いに異なる形状と大きさを有することを妨げるものでない。
【００１６】
本実施形態において、レール穴１０は、表面パネル部６において上下方向に間隔を空けて複数設けられている。各レール穴１０は、横方向に沿って直線状に延びるように設けられている。全てのレール穴１０の長さは互いに等しく、レール穴１０の長さ方向に関し、全てのレール穴１０の両端部はそれぞれ同じ位置に揃えられている。
【００１７】
ただし、本発明において、レール穴１０の構成はこれに限定されるものでない。例えば、本発明は、レール穴１０毎に長さを異ならせたり、レール穴１０の形状を直線以外の種々の形状としたり、複数のレール穴１０が交差するようにレール穴１０を設けたりすることを妨げるものでない。
【００１８】
表面パネル部６の表面には、レール穴１０に対するスライダ２０の相対的な位置によって示される情報、具体的には患者の症状の程度に関する情報を特定するための複数の表示部１１，１２（１２ａ〜１２ｅ），１４（１４ａ〜１４ｅ），１６，１８が設けられている。
【００１９】
これらの表示部１１，１２，１４，１６，１８について具体的に説明する。
【００２０】
先ず、表面パネル部６の表面の例えば上端部には、表示具２の使用を促すための第１の表示部１１が設けられている。第１の表示部１１には、患者による症状の程度の伝達を促す文字、具体的には、例えば「痛みの程度を教えてください」等の文字が記される。
【００２１】
また、各レール穴１０に対応して、症状の種類を示す第２の表示部１２（１２ａ〜１２ｅ）が設けられている。各第２の表示部１２は、レール穴１０の例えば左側近傍部に設けられている。第２の表示部１２には、例えば「頭痛」又は「腹痛」などといった症状の種類が例えば文字で表示されている。
【００２２】
さらに、各レール穴１０の周縁部には、レール穴１０に対するスライダ２０の相対的な位置を視認しやすくするための第３の表示部１４（１４ａ〜１４ｅ）が設けられている。第３の表示部１４には、右に向かうに連れて上下方向の幅が徐々に大きくなる図形が記されている。具体的に、第３の表示部１４に記された図形は、例えば、レール穴１０の右端近傍部においてレール穴１０よりも上側の部分と下側の部分とに跨って上下方向に延びる底辺と、該底辺の両端からそれぞれレール穴１０の左端近傍部へ延びる残りの２辺とを備えた概略三角形である。第３の表示部１４に記された図形は、その図形の上下方向の幅が大きいほど、症状が重いことを意味する。また、第３の表示部１４に記される図形は、横方向の位置によって色または／および色の濃さを異ならせるようにしてもよく、この場合、症状の程度を一層明確に表示することができる。
【００２３】
ただし、本発明において、第３の表示部１４の構成はこれに限定されるものでなく、例えば、上述の図形以外の種々の形状の図形、又は、目盛などを第３の表示部１４に記してもよい。
【００２４】
表面パネル部６の表面の左端部には第４の表示部１６が設けられ、表面パネル部６の表面の右端部には第５の表示部１８が設けられている。第４の表示部１６には、スライダ２０がレール穴１０の左端部に位置するときに症状の程度が最小であることを明確にするための表示がなされている。具体的に、第４の表示部１６には、「痛みはない」という文字が記されるとともに、患者の穏やかな表情を表す絵が描かれている。第５の表示部１８には、スライダ２０がレール穴１０の右端部に位置するときに症状の程度が最大であることを明確にするための表示がなされている。具体的に、第５の表示部１８には、「もっとも強い痛み」という文字が記されるとともに、患者の苦痛の表情を表す絵が描かれている。これらの第４及び第５の表示部１６，１８により、レール穴１０におけるスライダ２０の横方向の位置がレール穴１０の左端部に近いときほど症状が軽く、レール穴１０の右端部に近いときほど症状が重いことを一層明確に示すことができる。
【００２５】
本実施形態において、第１〜第５の表示部１１，１２，１４，１６，１８は、表面パネル部６の表面への印刷により形成されているが、本発明は、第１〜第５の表示部１１，１２，１４，１６，１８の一部または全部を、例えば表面パネル部６の表面へのシールの貼り付け等、印刷以外の方法により形成することを妨げるものでない。
【００２６】
裏面パネル部８は、スライダ２０が取り付けられた状態の表面パネル部６の裏面に折り重ねられることで、スライダ２０の裏面を覆い隠す機能を有する。つまり、パネル本体４に裏面パネル部８を設けることで、スライダ２０がパネル本体４から容易に脱落したり、スライダ２０の裏面側部分が破損したりすることを防止することができる。なお、裏面パネル部８は、後述のように表面パネル部６の裏面に接着される。また、本実施形態において、裏面パネル部８には、表面パネル部６のような表示部が何ら設けられていないが、何らかの表示部を設けるようにしてもよい。
【００２７】
以上のように構成されたパネル本体４は紙からなる。そのため、従来のようにパネル本体が樹脂で構成される場合に比べて、パネル本体４の厚みを小さくすることができ、パネル状表示具２全体の厚みの低減に貢献することができる。
【００２８】
図３に示すように、スライダ２０は、スライダ２０がパネル本体４に取り付けられた状態において表面パネル部６の表面側に配置される表面部２１と、スライダ２０がパネル本体４に取り付けられた状態において表面パネル部６の裏面側に配置される裏面部２３と、表面部２１と裏面部２３との間に形成された第１及び第２の溝部２６，２８とを有する。
【００２９】
表面部２１と裏面部２３は、互いに平行な面方向に沿って配置されている。表面部２１と裏面部２３は、レール穴１０の短手方向に関してレール穴１０よりも大きな幅を有し、これにより、レール穴１０からのスライダ２０の脱落が防止される。表面部２１と裏面部２３の形状は、レール穴１０の長さ方向に長い長方形とされている。ただし、本発明において、表面部２１と裏面部２３の形状は特に限定されるものでない。
【００３０】
スライダ２０の表面部２１には、スライダ２０の横方向の基準の位置を示す基準表示部２２が設けられている。基準表示部２２には、例えば、上下方向（図１における上下方向）に細長い菱形の図形が記されており、これにより、該菱形の上下の先端部の位置がスライダ２０の横方向の基準の位置であることが示されている。ただし、本発明において、基準表示部２２に付す表示は、スライダ２０の横方向の基準の位置を示すものであれば、菱形の図形以外の表示であってもよい。基準表示部２２は、例えば印刷により表面シート部３２の表面に形成されるが、本発明において、基準表示部２２は、例えばシールの貼り付け等、印刷以外の方法により形成されるようにしてもよい。
【００３１】
また、表面部２１には、スライダ２０をレール穴１０に沿ってスライドさせる際に摘むための摘み片２４が突設されている。これにより、表面部２１を摘んでスライダ２０をスライドさせることが困難な場合であっても、摘み片２４を摘むことでスライダ２０を容易にスライドさせることができる。
【００３２】
第１の溝部２６は、表面部２１の短手方向一端部と裏面部２３の短手方向一端部とに跨る断面倒Ｖ字状に形成され、第２の溝部２８は、表面部２１の短手方向他端部と裏面部２３の短手方向他端部とに跨る断面倒Ｖ字状に形成されている。これら第１の溝部２６と第２の溝部２８は、パネル本体４にスライダ２０を取り付けるために設けられた溝である。つまり、レール穴１０の上側周縁において表面パネル部６が第１の溝部２６に挟み込まれ且つレール穴１０の下側周縁において表面パネル部６が第２の溝部２８に挟み込まれることで、スライダ２０がレール穴１０に沿ってスライド可能なようにパネル本体４の表面パネル部６に取り付けられる。
【００３３】
表面パネル部６へのスライダ２０の取付けは、パネル本体４を開いた状態で行われ、スライダ２０が表面パネル部６に取り付けられた後、表面パネル部６の裏面に裏面パネル部８が重ねられて接着される。これにより、表面パネル部６と裏面パネル部８との間にスライダ２０の裏面部２３が挟み込まれるため、裏面部２３の保護が図られるとともに、パネル本体４からのスライダ２０の脱落が一層確実に防止される。なお、レール穴１０に沿ったスライダ２０の移動を許容するために、表面パネル部６と裏面パネル部８との接着は、レール穴１０の周縁部を残して行われる。
【００３４】
パネル状表示具２には、図４に示す付属パネル６０が含まれるようにしてもよい。付属パネル６０は、パネル本体４とは別体で且つ紙からなるパネルであり、パネル本体４の表面パネル部６の表面に重ねて使用される。付属パネル６０の外縁形状は表面パネル部６の外縁形状と同一であることが好ましく、これにより、表面パネル部６の表面に付属パネル６０を重ねるとき、表面パネル部６に対して付属パネル６０を容易に位置決めすることができる。付属パネル６０には、表面パネル部６のレール穴１０に対応した開口部７０（７０ａ〜７０ｅ）がレール穴１０毎に形成されている。各開口部７０は、付属パネル６０が表面パネル部６の表面に重ねられた状態においてレール穴１０を囲むように且つスライダ２０と干渉しないように形成されている。開口部７０の例えば下縁部には、レール穴１０に対するスライダ２０の相対的な位置を具体的に示すための位置表示部６４（６４ａ〜６４ｅ）が設けられている。付属パネル６０の位置表示部６４には、表面パネル部６の第３の表示部１４よりも明確にスライダ２０の位置を示すための表示がなされている。本実施形態において、各位置表示部６４には、例えば１００個の目盛線を備えた目盛が記されている。これにより、表面パネル部６の表面に付属パネル６０を重ねてパネル状表示具２を使用することで、スライダ２０の位置を一層迅速且つ正確に視認することができる。
【００３５】
次に、スライダ２０の製作に関する構成について説明する。
【００３６】
図３に示すスライダ２０は、図５に示す紙からなるシート３０が表面部２１、裏面部２３、第１の溝部２６及び第２の溝部２８を形成するように折り曲げられることで製作される。また、このように製作されたスライダ２０がパネル本体４に取り付けられた状態において、スライダ２０の表面部２１は表面パネル部６の表面に重ねられるようにして配置され、スライダ２０の裏面部２３は表面パネル部６と裏面パネル部８との間に挟み込まれる。そのため、スライダ２０の厚みを、従来のように樹脂で構成されたスライダに比べて著しく小さくすることができる。また、上述のようにパネル本体４も紙で構成されるため、パネル状表示具２全体の厚みを従来よりも遙かに小さくすることができる。よって、複数のパネル状表示具２をパンフレット形式で束ねたり、雑誌の中にパネル状表示具２を綴じ込んだりすることが容易になるため、利便性の向上を図ることができる。さらに、パネル本体４とスライダ２０がいずれも紙で構成されることにより、材料コストの低減と、廃棄の利便性向上とを図ることもできる。
【００３７】
図５を参照しながら、スライダ２０を製作するためのシート３０の構成について説明する。なお、図５は、シート３０を裏面側から見た斜視図である。また、以下の説明において、「山折り」及び「谷折り」という折り曲げ方向を示す用語は、シート３０の裏面側から見た方向を指すものとする。
【００３８】
図５に示すように、シート３０は、スライダ２０が取り付けられたパネル本体４の表面を見たときにパネル本体４よりも手前側に現れる表面シート部３２と、第１の溝部２６を形成するために表面シート部３２に連ねて設けられた第１シート片３４と、第２の溝部２８を形成するために表面シート部３２に連ねて設けられた第２シート片３６と、を備えている。
【００３９】
表面シート部３２は、スライダ２０が完成した状態においてスライダ２０の表面部２１を構成する。表面シート部３２の形状は、一対の長辺と一対の短辺とを備えた長方形である。表面シート部３２の一方の短辺側には、谷折りである折り目５８を介して摘み片２４が連ねて設けられている。表面シート部３２の中央部には、摘み片２４の先端を差し込むための切り込み４４が設けられている。切り込み４４は、折り目５８に平行な方向に沿って直線状に形成されている。
【００４０】
第１シート片３４は、表面シート部３２の一方の長辺側に連ねて設けられ、第２シート片３６は、表面シート部３２の他方の長辺側に連ねて設けられている。これにより、表面シート部３２と第１シート片３４と第２シート片３６とは、全体として、表面シート部３２の短辺に平行な方向に延びる帯状に形成されている。
【００４１】
第１シート片３４は、谷折りである折り目５１を介して表面シート部３２に隣接する第１シート部３８ａと、山折りである折り目５３を介して第１シート部３８ａに隣接する第２シート部４０ａと、谷折りである折り目５５を介して第２シート部４０ａに隣接する第３シート部４２ａを備えている。
【００４２】
同様に、第２シート片３６は、谷折りである折り目５２を介して表面シート部３２に隣接する第１シート部３８ｂと、山折りである折り目５４を介して第１シート部３８ｂに隣接する第２シート部４０ｂと、谷折りである折り目５６を介して第２シート部４０ｂに隣接する第３シート部４２ｂを備えている。
【００４３】
第１シート片３４の第１シート部３８ａと第２シート部４０ａとは第１の溝部２６を構成し、第２シート片３６の第１シート部３８ｂと第２シート部４０ｂとは第２の溝部２８を構成する。第１シート片３４及び第２シート片３６のいずれにおいても、第１シート部３８ａ，３８ｂと第２シート部４０ａ，４０ｂの形状は、表面シート部３２の長辺と同じ長さの一対の長辺と、表面シート部３２の短辺よりも短い一対の短辺とを備えた長方形である。
【００４４】
第１シート片３４及び第２シート片３６のいずれにおいても、第３シート部４２ａ，４２ｂの形状は、表面シート部３２と同じ形状である。各第３シート部４２ａ，４２ｂの裏面にはシール部４６，４８が設けられている。シール部４６，４８は、第３シート部４２，４２ｂにおいて折り目５５，５６とは反対側の縁部に沿って設けられている。
【００４５】
続いて、図６〜図１０を参照しながら、シート３０を用いてスライダ２０を製作する手順について説明する。
【００４６】
先ず、図６に示すように、摘み片２４を表面シート部３２の裏面に折り重ね、摘み片２４の先端を切り込み４４に差し込む。このような簡単な構成により、摘み片２４の先端部が表面シート部３２の表面側に突出し、スライダ２０の完成後において使用者が摘み片２４の先端部を容易に摘むことができる状態となる。
【００４７】
次に、図７に示すように、第２シート片３６を折り畳む。具体的に、第２シート部４０ｂを第１シート部３８ｂの表面に折り重ね、第３シート部４２ｂを第２シート部４０ｂの裏面に折り重ねる。
【００４８】
続いて、図８に示すように、折り畳まれた状態の第２シート片３６を表面シート部３２の裏面に折り重ね、第２シート片３６の第３シート部４２ｂを、シール部４８を介して表面シート部３２の裏面に貼り合わせる。これにより、第２シート片３６の第２シート部４０ｂと第３シート部４２ｂとのコーナー部が表面シート部３２から離間しないように維持することができる。よって、第２の溝部２８の幅を小さく形成することができ、これにより、スライダ２０の厚みの縮小に貢献することができる。
【００４９】
次に、図９に示すように、第１シート片３４を折り畳む。具体的に、第２シート部４０ａを第１シート部３８ａの表面に折り重ね、第３シート部４２ａを第２シート部４０ａの裏面に折り重ねる。
【００５０】
続いて、図１０に示すように、折り畳まれた状態の第１シート片３４を表面シート部３２の裏面に折り重ね、第１シート片３４の第３シート部４２ａを、シール部４６を介して第２シート片３６の第３シート部４２ｂの表面に貼り合わせる。これにより、スライダ２０が完成する。
【００５１】
［第２の実施形態］
図１１は、本発明の第２の実施形態に係るパネル状表示具１０２を示す。第１の実施形態と同様、パネル状表示具１０２は、パネル本体１０４とスライダ１２０とを備えている。
【００５２】
第１の実施形態と同様、パネル本体１０４は紙で構成されている。しかも、本実施形態に係るパネル本体１０４は、第１の実施形態のパネル本体４のような折り返し構造を有さず、第１の実施形態の表面パネル部６に相当する部分のみで構成されている。したがって、パネル本体１０４の厚みを一層小さくすることができる。
【００５３】
パネル本体１０４には、第１の実施形態と同様のレール穴１０（１０ａ〜１０ｅ）が形成されており、パネル本体１０４の表面には、第１の実施形態と同様の複数の表示部１１，１２（１２ａ〜１２ｅ），１４（１４ａ〜１４ｅ），１６，１８が設けられている。
【００５４】
図１２は、パネル本体１０４の裏面を示す。図１２に示すように、本実施形態では、パネル本体１０４の裏面にも、表面の表示部１１，１２，１４，１６，１８に合わせて、複数の表示部１１１，１１２（１１２ａ〜１１２ｅ），１１４（１１４ａ〜１１４ｅ），１１６，１１８が設けられている。これにより、パネル本体１０４の裏面においても、パネル本体１０４の表面に示される情報と同様の情報を示すことができるため、使用者は、パネル本体１０４の裏面を見ながらパネル本体１０４の表示について説明することができる。つまり、パネル本体１０４の裏面を見ている使用者と、パネル本体１０４の表面を見ながら説明を受ける者とが、一つの情報を共有することができる。
【００５５】
具体的に、パネル本体１０４の裏面には、第６〜第１０の表示部１１１，１１２，１１４，１１６，１１８が設けられている。
【００５６】
第６の表示部１１１は、パネル本体１０４表面の第１の表示部１１と同様の構成を有し、第１の表示部１１と同様の位置に配置されている。
【００５７】
第７の表示部１１２（１１２ａ〜１１２ｅ）は、パネル本体１０４表面の第２の表示部１２（１２ａ〜１２ｅ）と同様の構成を有する。各第７の表示部１１２は、レール穴１０の例えば右側近傍部に設けられている。
【００５８】
第８の表示部１１４（１１４ａ〜１１４ｅ）は、パネル本体１０４表面の第３の表示部１４（１４ａ〜１４ｅ）と同様の構成を有するが、第８の表示部１１４に記される図形の向きは、左右方向に関して、第３の表示部１４に記された図形の向きとは逆になっている。つまり、第８の表示部１１４に記された図形は、左に向かうに連れて上下方向の幅が徐々に大きくなるように構成されている。これにより、パネル本体１０４の表面側から見てスライダ１２０の位置がレール穴１０の右端に近いほど症状が重いことを示すパネル本体１０４の表面の表示に対応して、パネル本体１０４の裏面側から見てスライダ１２０の位置がレール穴１０の左端に近いほど症状が重いことを示している。
【００５９】
なお、第８の表示部１１４の構成は、第３の表示部１４の構成に合わせて変更したり、又は、第３の表示部１４の構成に関係なく変更したりすることが可能である。例えば、第８の表示部１１４に記される図形は、レール穴１０の長さ方向の位置によって色または／および色の濃さを異ならせるようにしてもよく、これにより、症状の程度を一層明確に表示することができる。また、上述の図形以外の種々の形状の図形、又は、目盛などを第８の表示部１１４に記してもよい。
【００６０】
第９の表示部１１６は、パネル本体１０４表面の第４の表示部１６と同様の構成を有し、パネル本体１０４裏面の右端部に配置されている。一方、第１０の表示部１１８は、パネル本体１０４表面の第５の表示部１８と同様の構成を有し、パネル本体１０４裏面の左端部に配置されている。
【００６１】
第６〜第１０の表示部１１１，１１２，１１４，１１６，１１８は、第１〜第５の表示部１１，１２，１４，１６，１８と同様、パネル本体１０４への印刷により形成されているが、本発明は、第６〜第１０の表示部１１１，１１２，１１４，１１６，１１８の一部または全部を、例えばパネル本体１０４の裏面へのシールの貼り付け等、印刷以外の方法により形成することを妨げるものでない。
【００６２】
図１３は、本実施形態に係るスライダ１２０を表面側から見た斜視図であり、図１４は、スライダ１２０を裏面側から見た斜視図である。
【００６３】
図１３に示すように、スライダ１２０は、第１の実施形態と同様、表面部２１と裏面部２３と第１及び第２の溝部２６，２８とを有する。また、第１の実施形態と同様、スライダ２０の表面部２１には、基準表示部２２と、パネル本体１０４の表面側から摘むための摘み片２４とが設けられている。
【００６４】
図１４に示すように、本実施形態に係るスライダ１２０の裏面部２３には、表面部２１の基準表示部２２と同様の基準表示部１２２が設けられており、これにより、スライダ１２０の裏面側についてもスライダ１２０の横方向の基準の位置が明確に示されている。
【００６５】
また、本実施形態に係るスライダ１２０の裏面部２３には、裏面側の摘み片１２４が突設されている。このように、表面側の摘み片２４に加えて裏面側の摘み片１２４を設けることにより、スライダ１２０をレール穴１０に沿ってスライドさせる際、パネル本体１０４の裏面側から裏面側摘み片１２４を摘んでスライダ１２０を操作することができ、利便性の向上が図られている。
【００６６】
本実施形態に係るスライダ１２０は、図１５に示す紙からなるシート１３０が表面部２１、裏面部２３、第１の溝部２６及び第２の溝部２８を形成するように折り曲げられることで製作される。
【００６７】
図１５に示すように、シート１３０は、裏面側摘み片１２４と裏面側摘み片１２４を差し込むための切り込み１４４とを有する点を除いて、第１の実施形態に係るシート３０と同様の構成を有する。
【００６８】
裏面側摘み片１２４は、第１シート片３４の第３シート部４２ａの一方の短辺側に、谷折りである折り目１５８を介して連ねて設けられている。一方、切り込み１４４は、第３シート部４２ａの中央部において、折り目１５８に平行な方向に沿って直線状に形成されている。
【００６９】
図１６に示すように、スライダ１２０を製作する際は、先ず、表面側摘み片２４を表面シート部３２の裏面に折り重ねて、表面側摘み片２４の先端部を切り込み４４に差し込むとともに、裏面側摘み片１２４を第１シート片３４の第３シート部１４４の裏面に折り重ねて、裏面側摘み片１２４の先端部を切り込み１４４に差し込む。その後は、第１の実施形態と同様の手順で、シート１３０の折り曲げと接着を行うことにより、スライダ１２０が完成する。
【００７０】
このように、本実施形態においても、スライダ１２０は紙からなるシート１３０の折り曲げにより製作されるため、スライダ１２０の厚みを極めて小さくすることができ、第１の実施形態と同様の効果を得ることができる。
【００７１】
以上、上述の実施形態を挙げて本発明を説明したが、本発明は上述の実施形態に限定されるものではない。
【符号の説明】
【００７２】
２，１０２：パネル状表示具、４，１０４：パネル本体、６：表面パネル部、８：裏面パネル部、１０（１０ａ〜１０ｅ）：レール穴、２０，１２０：スライダ、２４，１２４：摘み片、２６：第１の溝、２８：第２の溝、３０，１３０：シート、３２：表面シート部、３４：第１シート片、３６：第２シート片、３８（３８ａ，３８ｂ）：第１シート部、４０（４０ａ，４０ｂ）：第２シート部、４２（４２ａ，４２ｂ）：第３シート部、４４，１４４：切り込み、４６，４８：シール部。
【手続補正２】
【補正対象書類名】特許請求の範囲
【補正対象項目名】全文
【補正方法】変更
【補正の内容】
【特許請求の範囲】
【請求項１】
線状に延びるレール穴が形成されたパネル本体と、
第１の溝部と第２の溝部とを有し、前記レール穴の短手方向に関して一方の側の前記レール穴周縁のパネル本体部分が前記第１の溝部に挟み込まれ且つ他方の側の前記レール穴周縁のパネル本体部分が前記第２の溝部に挟み込まれることで、前記レール穴に沿ってスライド可能なように前記パネル本体に取り付けられるスライダと、を備え、
前記レール穴に対する前記スライダの相対的な位置によって所定の情報を表示するように構成されたパネル状表示具であって、
前記パネル本体は紙からなり、
前記スライダは、紙からなるシートが前記の第１及び第２の溝部を形成するように折り曲げられてなる部材であることを特徴とするパネル状表示具。
【請求項２】
前記シートは、前記スライダが取り付けられた前記パネル本体の表面を見たときに前記パネル本体よりも手前側に現れる表面シート部と、前記第１の溝部を形成するために前記表面シート部に連ねて設けられた第１シート片と、前記第２の溝部を形成するために前記表面シート部に連ねて設けられた第２シート片と、を備え、
前記第１シート片と前記第２シート片はそれぞれ、前記シートの裏面側から見て谷折りである折り目を介して前記表面シート部に隣接する第１シート部と、前記シートの裏面側から見て山折りである折り目を介して前記第１シート部に隣接する第２シート部と、を備え、
前記第１の溝部は、前記第１シート片の前記第１シート部と前記第２シート部とで構成され、
前記第２の溝部は、前記第２シート片の前記第１シート部と前記第２シート部とで構成されていることを特徴とする請求項１に記載のパネル状表示具。
【請求項３】
前記第１シート片と前記第２シート片はそれぞれ、前記シートの裏面側から見て谷折りである折り目を介して前記第２シート部に隣接する第３シート部を備え、
前記スライダが完成した状態において、前記第１シート片の前記第３シート部に、前記第２シート片の前記第３シート部が接着されていることを特徴とする請求項２に記載のパネル状表示具。
【請求項４】
前記スライダが完成した状態において、前記第１シート片の前記第３シート部が、前記表面シート部の裏面に接着されていることを特徴とする請求項３に記載のパネル状表示具。
【請求項５】
前記スライダを前記レール穴に沿ってスライドさせる際に摘むための摘み片が、前記表面シート部に連ねて設けられていることを特徴とする請求項２〜４のいずれかに記載のパネル状表示具。
【請求項６】
前記表面シート部には切り込みが設けられ、
前記スライダが完成した状態において、前記表面シート部の裏面に折り重ねられた前記摘み片の先端が、前記切り込みに差し込まれて前記表面シート部の表面側に突出していることを特徴とする請求項５に記載のパネル状表示具。
【請求項７】
前記摘み片は、前記スライダを前記レール穴に沿ってスライドさせる際に前記パネル本体の表面側から摘むための表面側摘み片と、前記スライダを前記レール穴に沿ってスライドさせる際に前記パネル本体の裏面側から摘むための裏面側摘み片と、を含むことを特徴とする請求項５または６に記載のパネル状表示具。
【請求項８】
前記パネル本体の少なくとも表面に、前記スライダの前記相対的な位置によって示される情報を特定するための表示がなされていることを特徴とする請求項１〜７のいずれかに記載のパネル状表示具。
【請求項９】
前記パネル本体は、前記レール穴が形成された表面パネル部と、前記表面パネル部の裏面に折り重ね可能なように折り目を介して前記表面パネル部に連ねて設けられた裏面パネル部と、を備えていることを特徴とする請求項１〜６のいずれかに記載のパネル状表示具。